(57)【要約】【課題】温度変化及び吸湿によるうねりの発生を抑制し、かつ取付け対象物へ取付ける際の作業性を向上させた透過型スクリーンを提供する。【解決手段】透過型スクリーン２０は、縦横比が１：５〜１：２５となる矩形状のフレネルレンズシート２１と、縦横比が１：５〜１：２５となる矩形状のレンチキュラーレンズシート２２と、フレネルレンズシート２１とレンチキュラーレンズシート２２とを、それぞれ前記矩形状における長辺の一か所で接合する接合部材２３と、を備える。【選択図】図３
2016157065.tif 000002
【特許請求の範囲】
【請求項１】
縦横比が１：５〜１：２５となる矩形状のフレネルレンズシートと、
縦横比が１：５〜１：２５となる矩形状のレンチキュラーレンズシートと、
前記フレネルレンズシートと前記レンチキュラーレンズシートとを、それぞれ前記矩形状における長辺の一か所で接合する接合部材と、
を備える透過型スクリーン。
【請求項２】
請求項１に記載の透過型スクリーンにおいて、
前記接合部材は、前記フレネルレンズシートと前記レンチキュラーレンズシートとを、それぞれ前記矩形状における長辺の中央付近の一か所で接合すること、
を特徴とする透過型スクリーン。
【請求項３】
請求項１又は２に記載の透過型スクリーンにおいて、
前記接合部材は、分割された複数の接合領域を有すること、
を特徴とする透過型スクリーン。
【請求項４】
透過型スクリーンを取付け対象物に取付ける透過型スクリーンの取付け構造であって、
前記取付け対象物は、前記透過型スクリーンを、左右両辺及び上辺が伸縮可能な状態で保持するベゼル部を備え、
前記ベゼル部は、前記透過型スクリーンの背面側を開放する位置及び押圧する位置に回動自在に設けられた蓋部材を備えること、
を特徴とする透過型スクリーンの取付け構造。
【請求項５】
請求項４に記載の透過型スクリーンの取付け構造において、
前記ベゼル部は、前記蓋部材を、前記透過型スクリーンの背面側を押圧する位置で固定する固定部材を備えること、
を特徴とする透過型スクリーンの取付け構造。
【請求項６】
請求項１から３のいずれかに記載の透過型スクリーンと、
請求項４又は５に記載の前記透過型スクリーンの取付け構造と、
前記透過型スクリーンの取付け対象物となる筐体と、
前記透過型スクリーンに映像光を投射するプロジェクターと、
を備える映像表示装置。
【請求項７】
縦横比が１：５〜１：２５となる矩形状のレンチキュラーレンズシートの長辺の一か所に接合部材の一方の接合面を貼り付ける工程と、
縦横比が１：５〜１：２５となる矩形状のフレネルレンズシートを前記レンチキュラーレンズシートに重ね合わせ、前記接合部材の他方の接合面に前記フレネルレンズシートを貼り付ける工程と、
前記フレネルレンズシート、前記接合部材及び前記レンチキュラーレンズシートからなる透過型スクリーンを取付け対象物のベゼル部に取付ける工程と、
前記透過型スクリーンを、左右両辺及び上辺が伸縮可能な状態で前記ベゼル部に固定する工程と、
を備える透過型スクリーンの取付け方法。
【請求項８】
請求項７に記載の透過型スクリーンの取付け方法において、
前記ベゼル部は、前記透過型スクリーンの背面側を開放する位置及び押圧する位置に回動自在に設けられた蓋部材を備えており、
前記透過型スクリーンを取付け対象物のベゼル部に取付ける工程では、
前記蓋部材を前記透過型スクリーンの背面側を開放する位置に回動させて、前記透過型スクリーンを前記ベゼル部に取付けた後、前記蓋部材を前記透過型スクリーンの背面側を押圧する位置に回動させて、前記透過型スクリーンを前記ベゼル部に固定すること、
を特徴とする透過型スクリーンの取付け方法。
【請求項９】
請求項８に記載の透過型スクリーンの取付け方法において、
前記透過型スクリーンを取付け対象物のベゼル部に取付ける工程では、
前記蓋部材を、前記透過型スクリーンの背面側を押圧する位置で固定部材により固定すること、
を特徴とする透過型スクリーンの取付け方法。
【発明の詳細な説明】
【技術分野】
【０００１】
本発明は、透過型スクリーン、透過型スクリーンの取付け構造、映像表示装置及び透過型スクリーンの取付け方法に関する。
【背景技術】
【０００２】
従来、プロジェクターから出力された映像光をスクリーンの背面側に投射して、観察側に映し出す映像表示装置が知られている。この種の映像表示装置には、フレネルレンズシートとレンチキュラーレンズシートとを重ね合わせた透過型スクリーンが用いられている。
【０００３】
従来、重ね合わせたフレネルレンズシート及びレンチキュラーレンズシートの周辺に、片面粘着テープをコの字形に貼付けて、２つのシートを透過型スクリーンとして一体化する固定方法が提案されている（例えば、特許文献１参照）。
【先行技術文献】
【特許文献】
【０００４】
【特許文献１】特開２００４−９４１４７号公報
【発明の概要】
【発明が解決しようとする課題】
【０００５】
上記固定方法においては、透過型スクリーンの天地辺に片面粘着テープをコの字形に貼付けるため、各辺の長手方向に沿ってテープの位置ズレを修正しながら作業する必要がある。そのため、テープの貼付け作業に時間がかかる。また、片面粘着テープをコの字形に貼付ける際に、作業者がシートに触れる頻度が増えるため、シートの表面に傷が付く可能性が高い。そのため、テープの貼付け作業を慎重に行う必要がある。
【０００６】
一方、テープ等を用いることなしに、透過型スクリーンの四辺を枠部材に挟み込んで固定する手法も考えられる。しかし、レンチキュラーレンズシートとフレネルレンズシートは、それぞれ伸縮率が異なる。そのため、透過型スクリーンの四辺を枠部材で固定してしまうと、温度変化及び吸湿により各シートがそれぞれ伸縮したときに、その伸縮分を吸収することができず、透過型スクリーンにうねりが生じてしまう。透過型スクリーンにうねりが生じると、フレネルレンズシートとレンチキュラーレンズシートとの間に部分的に隙間ができるため、画像ボケ、輝度ムラが発生する。また、テープ等を用いない場合には、透過型スクリーンを取付け対象物に取付ける作業において、作業者がシートに触れる頻度がより増えるため、シートの表面に傷が付く可能性がさらに高くなる。そのため、透過型スクリーンの取付け作業をより慎重に行う必要が生じる。
【０００７】
本発明の課題は、温度変化及び吸湿によるうねりの発生を抑制し、かつ取付け対象物へ取付ける際の作業性を向上させた透過型スクリーン、透過型スクリーンの取付け構造、映像表示装置及び透過型スクリーンの取付け方法を提供することにある。
【課題を解決するための手段】
【０００８】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
・第１の発明は、縦横比が１：５〜１：２５となる矩形状のフレネルレンズシート（２１）と、縦横比が１：５〜１：２５となる矩形状のレンチキュラーレンズシート（２２）と、前記フレネルレンズシートと前記レンチキュラーレンズシートとを、それぞれ前記矩形状における長辺の一か所で接合する接合部材（２３）と、を備える透過型スクリーン（２０）である。
・第２の発明は、第１の発明の透過型スクリーン（２０）において、前記接合部材（２３）は、前記フレネルレンズシート（２１）と前記レンチキュラーレンズシート（２２）とを、それぞれ前記矩形状における長辺の中央付近の一か所で接合することを特徴とする透過型スクリーンである。
・第３の発明は、第１又は第２の発明の透過型スクリーン（２０）において、前記接合部材（２３）は、分割された複数の接合領域（２３ａ〜２３ｃ）を有することを特徴とする透過型スクリーンである。
・第４の発明は、透過型スクリーン（２０）を取付け対象物（１０）に取付ける透過型スクリーンの取付け構造であって、前記取付け対象物は、前記透過型スクリーンを、左右両辺及び上辺が伸縮可能な状態で保持するベゼル部（１５）を備え、前記ベゼル部は、前記透過型スクリーン（２０）の背面側を開放する位置及び押圧する位置に回動自在に設けられた蓋部材（１７）を備えること、を特徴とする透過型スクリーンの取付け構造である。
・第５の発明は、第５の発明の透過型スクリーンの取付け構造において、前記ベゼル部（１５）は、前記蓋部材（１７）を、前記透過型スクリーン（２０）の背面側を押圧する位置で固定する固定部材（１８）を備えること、を特徴とする透過型スクリーンの取付け構造である。
・第６の発明は、第１から第３のいずれかの発明の透過型スクリーン（２０）と、第４又は５の発明の前記透過型スクリーンの取付け構造と、前記透過型スクリーンの取付け対象物となる筐体（１０）と、前記透過型スクリーンに映像光を投射するプロジェクター（３０）と、を備える映像表示装置である。
・第７の発明は、縦横比が１：５〜１：２５となる矩形状のレンチキュラーレンズシート（２２）の長辺の一か所に接合部材（２３）の一方の接合面を貼り付ける工程と、縦横比が１：５〜１：２５となる矩形状のフレネルレンズシート（２１）を前記レンチキュラーレンズシートに重ね合わせ、前記接合部材の他方の接合面に前記フレネルレンズシートを貼り付ける工程と、前記フレネルレンズシート、前記接合部材及び前記レンチキュラーレンズシートからなる透過型スクリーン（２０）を取付け対象物（１０）のベゼル部（１５）に取付ける工程と、前記透過型スクリーンを、左右両辺及び上辺が伸縮可能な状態で前記ベゼル部に固定する工程と、を備える透過型スクリーンの取付け方法である。
・第８の発明は、第８の発明の透過型スクリーンの取付け方法において、前記ベゼル部（１５）は、前記透過型スクリーン（２０）の背面側を開放する位置及び押圧する位置に回動自在に設けられた蓋部材（１７）を備えており、前記透過型スクリーンを取付け対象物のベゼル部に取付ける工程では、前記蓋部材を前記透過型スクリーンの背面側を開放する位置に回動させて、前記透過型スクリーンを前記ベゼル部に取付けた後、前記蓋部材を前記透過型スクリーンの背面側を押圧する位置に回動させて、前記透過型スクリーンを前記ベゼル部に固定すること、を特徴とする透過型スクリーンの取付け方法である。
・第９の発明は、第９の発明の透過型スクリーンの取付け方法において、前記透過型スクリーン（２０）を取付け対象物のベゼル部（１５）に取付ける工程では、前記蓋部材（１７）を、前記透過型スクリーンの背面側を押圧する位置で固定部材（１８）により固定すること、を特徴とする透過型スクリーンの取付け方法である。
【発明の効果】
【０００９】
本発明によれば、温度変化及び吸湿によるうねりの発生を抑制し、かつ取付け対象物へ取付ける際の作業性を向上させた透過型スクリーン、透過型スクリーンの取付け構造、映像表示装置及び透過型スクリーンの取付け方法を提供することができる。
【図面の簡単な説明】
【００１０】
【図１】実施形態における投射型表示装置１の外観を示す斜視図である。
【図２】図１に示す投射型表示装置１の垂直面Ａにおける断面図である。
【図３】スクリーン２０を観察側から見たときの正面図である。
【図４】両面粘着テープ２３における接合領域の他の実施形態を示す説明図である。
【図５】図２のＢ−Ｂ線における断面図である。
【発明を実施するための形態】
【００１１】
以下、図面を参照しながら本発明の実施形態について説明する。なお、本実施形態の図面において、部材の大きさ、比率等は、必要に応じて変更又は誇張されている。
図１は、本実施形態における投射型表示装置（映像表示装置）１の外観を示す斜視図である。図２は、図１に示す投射型表示装置１の垂直面Ａにおける断面図である。なお、図２では、透過型スクリーン２０の構成を分かり易くするため、透過型スクリーン２０の前面側と背面側にそれぞれ隙間のある状態を示しているが、透過型スクリーン２０が固定された場合において、これらの隙間はなく密着した状態となる。
【００１２】
投射型表示装置１は、筐体１０と、透過型スクリーン（以下、「スクリーン」ともいう）２０と、プロジェクター３０と、を備える。
筐体１０は、スクリーン２０の取付け対象物であり、図１に示すように、全体が細長い箱枠形に形成されている。筐体１０の内部には、図２に示すように、スクリーン２０、プロジェクター３０等が収納される。筐体１０は、断面が略コ字形に形成されており、映像光の観察側（前面側）に細長い矩形状の開口部１１を有する。筐体１０の背面側は、裏蓋１２により閉じられている。また、筐体１０は、図２に示すように、スクリーン保持枠１６（後述）の近傍にピン溝１３を備える。ピン溝１３は、ピン１８（後述）が取付けられる部分であり、筐体１０の長手方向に沿って等間隔に３箇所設けられている（図５参照）。
【００１３】
スクリーン２０は、図２に示すように、フレネルレンズシート２１とレンチキュラーレンズシート２２とを重ね合わせた平板状の光学部材である。フレネルレンズシート２１は、プロジェクター３０から出力された映像光を最適な出射角に屈折させる光学シートである。レンチキュラーレンズシート２２は、フレネルレンズシート２１を透過した映像光を観察側に向けて拡散させる光学シートである。スクリーン２０において、フレネルレンズシート２１は、プロジェクター３０側に配置されている。また、レンチキュラーレンズシート２２は、開口部１１側に配置されている。なお、以下の説明においては、フレネルレンズシート２１及びレンチキュラーレンズシート２２を、適宜に「シート」ともいう。
また、フレネルレンズシート２１とレンチキュラーレンズシート２２との間は、両面粘着テープ２３により接合されている。両面粘着テープ２３による２つのシートの接合については、後述する。
【００１４】
本実施形態において、フレネルレンズシート２１は、縦横比がおよそ１：２１となるように形成されている。また、レンチキュラーレンズシート２２は、縦横比がおよそ１：２１となるように形成されている。例えば、各シートの横寸法（左右方向の寸法）を１１９８ｍｍ、縦寸法（上下方向の寸法）を５７ｍｍとした場合、縦横比は、およそ１：２１となる。なお、各レンズシートの縦横比は、１：５〜１：２５の範囲とすることが好ましい。
このような細長い矩形状のスクリーン２０を備えた投射型表示装置１は、例えば小売店等において、商品の陳列棚に設置される。スクリーン２０には、陳列棚に並べられた商品に関する説明文、価格等の商品情報に関する画像が映像光により映し出される。
【００１５】
プロジェクター３０は、映像光をスクリーン２０の背面側から投射する装置である。プロジェクター３０から投射された映像光は、スクリーン２０のフレネルレンズシート２１において最適な出射角度に屈折し、レンチキュラーレンズシート２２に入射する。レンチキュラーレンズシート２２に入射した映像光は、観察側に向けて拡散され、スクリーン２０に結像する。観察者は、スクリーン２０に映し出された映像光を、筐体１０の前面側に形成された開口部１１から見ることができる。本実施形態において、プロジェクター３０は、映像光の光軸がスクリーン２０の軸線（投射面の中心と直交する線）と一致するように配置されている。
【００１６】
次に、両面粘着テープ２３によるフレネルレンズシート２１とレンチキュラーレンズシート２２との接合について説明する。図３は、スクリーン２０を観察側（レンチキュラーレンズシート２２側）から見たときの正面図である。図４は、両面粘着テープ２３における接合領域の他の実施形態を示す説明図である。なお、図３及び図４では、各レンズシートの表面に形成された微細なパターンの図示を省略する。
【００１７】
図３に示すように、両面粘着テープ２３は、フレネルレンズシート２１とレンチキュラーレンズシート２２とを、それぞれ下辺（下側の長辺）の一か所で接合している。本実施形態の両面粘着テープ２３は、フレネルレンズシート２１及びレンチキュラーレンズシート２２において、下辺の中央に設けられている。両面粘着テープ２３として、例えば、両面接着用テープ  ５７６０Ｅ（基材／粘着＝不織布／アクリル系タイプ：積水化学工業製）を用いることができる。なお、以下の説明においては、両面粘着テープ２３を、適宜に「テープ」ともいう。
【００１８】
両面粘着テープ２３の厚みは、例えば、０．１０ｍｍから０．５０ｍｍの範囲とすることが好ましい。両面粘着テープ２３の厚みによっては、フレネルレンズシート２１とレンチキュラーレンズシート２２との間に必要以上に隙間が生じ、スクリーン２０に映し出される映像光に画像ボケ、輝度ムラ等が発生するおそれがある。そのため、両面粘着テープ２３の厚みは、フレネルレンズシート２１及びレンチキュラーレンズシート２２の厚み、材質、光学特性等に応じて適切に設定する必要がある。
両面粘着テープ２３の縦（高さ）寸法は、図２に示すように、スクリーン２０を筐体１０に取付けたときに、開口部１１から露出しない長さとすることが好ましい。
【００１９】
両面粘着テープ２３の横（幅）寸法は、出来る限り短くすることが好ましい。例えば、スクリーン２０のサイズが横寸法１２００ｍｍ、縦寸法５７ｍｍの場合、両面粘着テープ２３の横寸法は、１０ｍｍ〜１００ｍｍの範囲とすることが好ましい。両面粘着テープ２３の横寸法が短い場合には、両面粘着テープ２３の伸縮率は小さくてもよい。また、両面粘着テープ２３の横寸法を長くした場合には、両面粘着テープ２３の伸縮率を大きくする必要がある。温度変化及び吸湿によるフレネルレンズシート２１及びレンチキュラーレンズシート２２の伸縮に対応させるためである。このように、両面粘着テープ２３の横寸法を短くした場合は、伸縮率の大きなテープを用意する必要がなく、汎用の両面粘着テープ２３を用いることができる。また、スクリーン２０の天地辺に片面粘着テープをコ字形に貼付ける方法に比べて、テープの使用量をより少なくできるため、テープのコストを抑制できる。
【００２０】
なお、本実施形態の両面粘着テープ２３は、図３に示すように、矩形状の連続した接合領域（ドットで示す領域）を有する。しかし、両面粘着テープ２３の接合領域は、これに限定されない。例えば、図４（ａ）に示すように、分割された２箇所の接合領域２３ａ、２３ｂを有する構成であってもよい。また、図４（ｂ）に示すように、分割された３箇所の接合領域２３ａ、２３ｂ及び２３ｃを有する構成であってもよい。さらに、図示していないが、分割された４箇所以上の接合領域を有する構成であってもよいし、接合領域の形状も矩形状に限定されない。すなわち、両面粘着テープ２３は、両シートを接合する一か所において、連続した接合領域を有する構成としてもよいし、分割された複数の接合領域を有する構成としてもよい。
【００２１】
次に、筐体１０におけるスクリーン２０の取付け構造を、図２及び図５を参照して説明する。図５は、図２のＢ−Ｂ線における断面図である。
図２に示すように、筐体１０は、ベゼル部１５を備える。ベゼル部１５は、スクリーン２０を、左右両辺及び上辺が伸縮可能な状態で保持する構造体である。
ベゼル部１５は、開口部１１側にスクリーン保持枠１６を備える。スクリーン保持枠１６は、スクリーン２０が取付けられる部分であり、スクリーン２０の左右両辺及び上下両辺を囲むように額縁形に形成されている（図２では、上下両辺に設けられたスクリーン保持枠１６のみを図示する）。また、スクリーン保持枠１６の下部には、スクリーン押え板１７（後述）の外枠部１７２と当接する係止部１６１が形成されている。
【００２２】
スクリーン保持枠１６の奥行き方向（図２の横方向）は、スクリーン保持枠１６にスクリーン２０を取付け、スクリーン押え板１７を図２に実線で示す位置で固定したときに、スクリーン２０を加圧することなく、スクリーン２０の左右両辺及び上辺が伸縮可能となる寸法に設定される。スクリーン保持枠１６の横方向（図５の幅方向）は、温度変化及び吸湿によりスクリーン２０の左右両辺が伸縮したときに、その伸縮分を吸収できる寸法に設定されている。スクリーン保持枠１６の縦方向（図２の高さ方向）は、温度変化及び吸湿によりスクリーン２０の上辺が伸縮したときに、その伸縮分を吸収できる寸法に設定されている。
【００２３】
また、ベゼル部１５は、スクリーン押え板１７と、固定部材としてのピン１８と、ヒンジ１９と、を備える。
スクリーン押え板１７は、スクリーン２０の背面側を開放する第１位置（図２に想像線で示す位置）及び背面側を押圧する第２位置（図２に実線で示す位置）に回動自在に設けられた蓋部材である。スクリーン押え板１７は、図５に示すように、細長い矩形状の開口１７１と、開口１７１の四方を囲む外枠部１７２と、を備える枠形の部材である。図２に示すように、プロジェクター３０から投射された映像光は、スクリーン押え板１７の開口１７１を通過して、スクリーン２０へ到達する。
【００２４】
スクリーン押え板１７の上部は、ヒンジ１９により回動自在に支持されている。ヒンジ１９は、図５に示すように、筐体１０の長手方向の上部に３箇所設けられている。図２に示すように、スクリーン押え板１７を第１位置まで回動させると、ベゼル部１５の内部が開放された状態となるため、スクリーン２０をベゼル部１５の背面側からスクリーン保持枠１６に取付けることができる。また、スクリーン２０をスクリーン保持枠１６に取付けた後、スクリーン押え板１７を第２位置まで回動させると、スクリーン押え板１７の下側の外枠部１７２がスクリーン保持枠１６の係止部１６１に当接する。これにより、スクリーン保持枠１６に取付けられたスクリーン２０の四辺は、スクリーン押え板１７の外枠部１７２により押圧される。このとき、スクリーン押え板１７の外枠部１７２は、スクリーン２０の四辺を加圧することなく、振動等でスクリーン２０が揺動しない程度の力で押圧する。そのため、スクリーン２０の左右両辺及び上辺は、温度変化及び吸湿により伸縮可能となる。
【００２５】
ピン１８は、スクリーン押え板１７を第２位置で固定する部材であり、ゴム、樹脂等により形成される。ピン１８は、くさび形の断面を有する。図２に示すように、スクリーン押え板１７を第２位置まで回動させて、ピン１８の先端部１８１をピン溝１３に挿入し、後端部１８２を押し込むことにより、スクリーン２０をスクリーン保持枠１６に簡単かつ確実に固定できる。また、ピン１８の押し込み量を加減することにより、スクリーン押え板１７によるスクリーン２０の固定力を調整できる。さらに、ピン１８をピン溝１３から引き抜くことにより、スクリーン押え板１７の固定を簡単に解除できる。
【００２６】
次に、筐体１０のベゼル部１５にスクリーン２０を取付ける手順について説明する。
まず、レンチキュラーレンズシート２２を冶具（不図示）等の作業面上に平置きにして、その下辺の中央に両面粘着テープ２３を貼り付ける。両面粘着テープ２３は、一方の離型紙（不図示）を剥がして粘着面を露出させ、その一方の粘着面をレンチキュラーレンズシート２２に貼り付ける。次に、他方の離型紙を剥がして粘着面を露出させ、その上にフレネルレンズシート２１を重ね合わせる。これにより、図３に示すように、両面粘着テープ２３により接合されたフレネルレンズシート２１及びレンチキュラーレンズシート２２からなるスクリーン２０が完成する。
【００２７】
次に、筐体１０のベゼル部１５にスクリーン２０を取付ける。スクリーン２０を取付ける際には、開口部１１が下側になるように筐体１０を平置きにする。そして、筐体１０のスクリーン押え板１７を第１の位置（図２参照）に回動させて、ベゼル部１５の内部を開放する。続いて、スクリーン２０を、筐体１０の背面側から挿入し、ベゼル部１５のスクリーン保持枠１６に取付ける。
次に、スクリーン押え板１７を第２の位置（図２参照）まで回動させて、スクリーン押え板１７の下側の外枠部１７２を、スクリーン保持枠１６の係止部１６１に当接させる。これにより、スクリーン保持枠１６に取付けられたスクリーン２０の四辺は、スクリーン押え板１７の外枠部１７２により押圧される。さらに、筐体１０の３箇所に設けられたピン溝１３にそれぞれピン１８の先端部１８１を挿入し、後端部１８２を押し込むことにより、スクリーン押え板１７を第２位置で固定できる。
【００２８】
スクリーン保持枠１６がピン１８により固定されると、ベゼル部１５の奥行方向（図２の左右方向）において、スクリーン押え板１７の外枠部１７２とスクリーン２０のフレネルレンズシート２１との間及びレンチキュラーレンズシート２２とスクリーン保持枠１６の内周面１６２との間は、隙間なく密着した状態となる。これにより、スクリーン保持枠１６において、振動等によるスクリーン２０の揺動が抑制される。また、スクリーン保持枠１６の幅方向（図５の左右方向）において、スクリーン２０の左右両辺及び上辺は、伸縮可能な状態で保持される。これによれば、温度変化及び吸湿によりスクリーン２０の各シートがそれぞれ伸縮したときに、その伸縮分を左右両辺及び上辺において吸収できるため、スクリーン２０におけるうねりの発生を抑制できる。
【００２９】
実施例として、本実施形態の構成によるスクリーン２０を用いて投射型表示装置１を作製し、温度変化によるスクリーン２０への影響を観察した。スクリーン２０を構成する各レンズシートは、横寸法を１１９８ｍｍ、縦寸法を５７ｍｍとし、縦横比をおよそ１：２１とした。このスクリーン２０を取付けた投射型表示装置１に対して、高温環境テスト及び低温環境テストを実施した。高温環境テストでは、環境温度を２５℃（常温）から４０℃まで上げた後、所定時間放置し、再び２５℃に戻した。また、低温環境テストでは、環境温度を２５℃（常温）から−２０℃まで下げた後、所定時間放置し、再び２５℃に戻した。本実施形態のスクリーン２０を取付けた投射型表示装置１では、いずれのテストにおいても、スクリーン２０のうねりの発生が抑制されていることが確認された。また、スクリーン２０の縦横比を、およそ１：５とした場合及び縦横比をおよそ１：２５とした場合においても、同様の結果が得られた。
【００３０】
以上説明したように、本実施形態のスクリーン２０においては、短い矩形状の両面粘着テープ２３により２つのシートを貼合せている。これによれば、テープの位置ズレを修正しながら作業する必要がないため、２つのシートをより短時間で貼合わせることができる。また、両面粘着テープ２３をシートに貼付ける際に、作業者がシートに触れる頻度が少ないため、シートの表面に傷を付ける可能性が低くなる。そのため、作業者は、テープの貼付け作業を効率良く行うことができる。
【００３１】
また、ベゼル部１５において、スクリーン２０の左右両辺及び上辺は、伸縮可能な状態で保持される。そのため、温度変化及び吸湿によりスクリーン２０の左右両辺及び上辺がそれぞれ伸縮した場合でも、その伸縮分をベゼル部１５の横方向及び縦方向において吸収させることができる。そのため、スクリーン２０において画像ボケ、輝度ムラの原因となるうねりの発生を抑制できる。
【００３２】
したがって、本実施形態によれば、温度変化及び吸湿によるうねりの発生を抑制し、かつ筐体１０へ取付ける際の作業性を向上させた透過型スクリーン２０、透過型スクリーン２０の取付け構造、投射型表示装置１及び透過型スクリーン２０の取付け方法を提供することができる。ちなみに、投射型表示装置１の輸送、保管時等においては、常温よりも極端に高温又は低温の環境下となることが予想される。そのため、温度変化及び吸湿によるスクリーン２０のうねりの発生を抑制することにより、環境変化による不良品の発生を最小限に止めることが可能となる。
【００３３】
また、本実施形態のスクリーン２０においては、２つのシートを、それぞれ下辺の中央において両面粘着テープ２３で接合している。そのため、温度変化及び吸湿によりスクリーン２０の各シートがそれぞれ伸縮した場合に、その伸縮分をスクリーン２０の左右両辺においてそれぞれ均等に吸収させることができる。
また、本実施形態において、ベゼル部１５は、スクリーン２０の背面側を開放する第１位置及び背面側を押圧する第２位置に回動自在に設けられたスクリーン押え板１７を備える。そのため、作業者は、スクリーン２０をスクリーン保持枠１６に取付ける作業及び取外す作業をより効率良く行うことができる。
【００３４】
また、本実施形態において、ベゼル部１５は、スクリーン２０を第２位置で固定するピン１８を備える。そのため、作業者は、スクリーン２０をスクリーン保持枠１６に取付けた後、ピン１８をピン溝１３に押し込むことにより、スクリーン２０をスクリーン保持枠１６に簡単かつ確実に固定できる。また、ピン１８の押し込み量を加減することにより、スクリーン押え板１７によるスクリーン２０の固定力を調整できる。さらに、ピン１８をピン溝１３から引き抜くことにより、スクリーン押え板１７の固定を簡単に解除できる。
【００３５】
（変形形態）
本発明は、以上説明した実施形態に限定されることなく、種々の変形や変更が可能であって、それらも本発明の範囲内である。
（１）両面粘着テープ２３は、スクリーン２０の中央に限らず、右辺側又は左辺側に設けてもよい。例えば、投射型表示装置１の設置場所において、他の機器の発する熱、空調の温度等により、左右の環境温度が異なる場合には、温度が低い側に両面粘着テープ２３を設けることにより、温度が高い側で発生するシートの伸縮をより効果的に吸収させることができる。
（２）両面粘着テープ２３は、フレネルレンズシート２１及びレンチキュラーレンズシート２２のそれぞれの上辺（上側の長辺）に設けてもよい。その場合、ベゼル部１５において、スクリーン２０の下辺とスクリーン保持枠１６との間に隙間が生じるようにスクリーン２０を固定する。
（３）両面粘着テープ２３の代わりに、２つのシートをスポット溶着により接合してもよい。また、２つのシートの間を、流動性の低い（粘度の高い）接着剤で接合してもよい。
（４）スクリーン押え板１７は、ピン１８による固定に限らず、バネ、スプリング等の弾性部材を用いた機構により固定してもよい。また、より簡単な固定方法として、スクリーン押え板１７の外枠部１７２をスクリーン保持枠１６の係止部１６１にネジ止めしてもよいし、係止部１６１に接着剤で接着してもよい。
（５）プロジェクター３０は、映像光の光軸がスクリーン２０の軸線と交差するように配置してもよい。例えば、プロジェクター３０を映像光の投射口が上を向くように配置し、スクリーン２０の背面側に４５度の角度でミラーを設置する。そして、プロジェクター３０から投射された映像光をミラーでスクリーン２０側に反射させ、スクリーン２０の背面側から映像光を投射させるように構成してもよい。
【符号の説明】
【００３６】
１  投射型表示装置
１０  筐体
１５  ベゼル部
１６  スクリーン保持枠
１７  スクリーン押え板
１８  ピン
２０  スクリーン
２１  フレネルレンズシート
２２  レンチキュラーレンズシート
２３  両面粘着テープ
３０  プロジェクター
【図１】
2016157065.tif 000003
【図２】
2016157065.tif 000004
【図３】
2016157065.tif 000005
【図４】
2016157065.tif 000006
【図５】
2016157065.tif 000007